(57)【要約】      （修正有）【課題】マウス等のパソコン入力装置を、長時間使用した際、疲労感を軽減する。【解決手段】スイッチ部を手操作して信号を発生し、この信号をパソコンに出力するパソコン入力装置であり、前記パソコン入力装置の底部には移動を感知する光学式装置を設けたマウスにおいて、表面外側に先端の形状が球面で、前記球面の大きさは直径が０．５ミリから１０ミリまでの大きさの球面形状を持つ突起を複数設けたことによって、手に突起で軽く接触させてつぼに軽く刺激を与え、疲労感を軽減する方法である。【選択図】図１
2011053910.tif 000002
【特許請求の範囲】
【請求項１】
スイッチ部を手操作して信号を発生し、この信号をパソコンに出力するパソコン入力装置であり、前記パソコン入力装置の底部には移動を感知する光学式装置を設けたマウスにおいて、表面外側に先端の形状が球面で、前記球面の大きさは直径が０．５ミリから１０ミリまでの大きさの球面形状を持つ突起を複数設けたことを特徴とする触感マウス。
【請求項２】
前記マウスにおいて、中ほどに回転可能なローラーを設置し、前記ローラーの表面に複数の突起を設けたことを特徴とする請求項１記載の触感マウス。
【請求項３】
前記マウスにおいて、前記突起がスプリング機能によってマウス外部表面より、手の押圧によって出入りすることを特徴とする請求項１及び請求項２のすくなくとも１つ記載の触感マウス。
【請求項４】
前記マウスにおいて、球体の表面に複数の突起を設け、前記突起の先端には、前記球体を回転可能にするためにボールペン先端の構造と同様にボールベアリングを設け、前記球体の突起先端から直径方向反対の突起先端までの直径と同じ程度の直径を持つ凹部状の球面を前記マウスの中ほどに形成し、前記凹部状の球面の中で、前記球体が方向自在に回転できることを特徴とする請求項１記載の触感マウス。
【請求項５】
請求項４記載の触感マウスにおいて、前記触感マウスの底部の脱着可能な台座を取り外し、前記球体を回転させると回転に応じて前記球体の下部が机上面と接触して、前記触感マウスが移動することによって、パソコンのマウスポインタが移動することを特徴とする触感マウス。
【発明の詳細な説明】
【技術分野】
【０００１】
パソコンのマウス等の、スイッチ部を手操作して信号を発生し、この信号をパソコンに出力するパソコン入力装置に関する。
【背景技術】
【０００２】
従来のこの種のパソコン入力装置、例えばマウスは、略卵形状の、主に硬いプラスチック素材にスイッチを配置したものである。また、キーボードは、指の接触部に固いプラスチック素材を用いている。
【０００３】
このような従来のマウスは、オペレータの手の大きさや持ち方が様々であるにもかかわらず、一定の形状、大きさであるので、オペレータによっては、マウスを長時間使用すると手が痛くなるというような問題点があった。そこで、実開平６−５６８３１が開示されている。
【特許文献１】実開平６−５６８３１
【発明の開示】
【発明が解決しようとする課題】
【０００４】
前記特許文献においては、マウスを柔軟性材料で外側からカバーで覆う技術が、開示されている。この技術は、マウスが柔軟性材料で覆われているので、オペレータの手のひらに応じて全体形状が変形して対応でき，長時間使用による疲労感が軽減できるものである。
ここで、上記文献とは別な方向で、手などに突起で軽く接触させてつぼに軽く刺激を与え、疲労感を軽減する方法を考えたものである。
【課題を解決するための手段】
【０００５】
スイッチ部を手操作して信号を発生し、この信号をパソコンに出力するパソコン入力装置であり、前記パソコン入力装置の底部には移動を感知する光学式装置を設けたマウスにおいて、表面外側に先端の形状が球面で、前記球面の大きさは直径が０．５ミリから１０ミリまでの大きさの球面形状を持つ突起を複数設けたことによって、課題を解決するものである。
また、前記マウスにおいて、中ほどに回転可能なローラーを設置し、前記ローラーの表面に複数の突起を設けるようにしてもよい。
また、前記マウスにおいて、前記突起がスプリング機能によってマウス外部表面より、手の押圧によって出入りするようにしてもよい。
また、前記マウスにおいて、球体の表面に複数の突起を設け、前記突起の先端には、前記球体を回転可能にするためにボールペン先端の構造と同様にボールベアリングを設け、前記球体の突起先端から直径方向反対の突起先端までの直径と同じ程度の直径を持つ凹部状の球面を前記マウスの中ほどに形成し、前記凹部状の球面の中で、前記球体が方向自在に回転できるようにしてもよい。
また、前記触感マウスの底部の脱着可能な台座を取り外し、前記球体を回転させると回転に応じて前記球体の下部が机上面と接触して、前記触感マウスが移動することによって、パソコンのマウスポインタが移動するようにしてもよい。
【発明の効果】
【０００６】
手のひらには足つぼと同様に、多数のつぼが集まっている。このつぼを軽く刺激し、また手の触感神経を軽く刺激するので、心地よい触感を受ける。このことによって疲労感を軽減できる。また、血液循環を促進し、かつ筋肉を解すなどの効果を提供する。
【発明を実施するための最良の形態】
【０００７】
本発明の触感マウスは、図１で示されるようにパソコン入力装置のマウスに関したもので、略卵状で、底部にはマウスのＸ軸方向及びＹ軸方向の移動量を検出する光学センサーを備え、先端部には２つのボタンスイッチが設けられ、前記スイッチの間には、パソコン画面の移動を操作するスクロールが取り付けられている。
【０００８】
本発明の実施例図１では、触感マウス１を軽く握った状態で手のひらに突起２が接触するようになっている。
【０００９】
本発明の第２実施例では、突起２を持ったローラー３が、触感マウス１の中ほどに設けられており、手のひらで回転させたり、マウスの構造が無線方式であるならば、触感マウス１を持って手のひらや手の甲、または手足などいろいろな場所をローラーで刺激することができる。
【００１０】
図３は、本発明に係わる触感マウスのスプリング形式の突起２を示す断面図である。この触感マウスを持って手足を押圧した場合、突起２が強く接触している場所は、突起２が引っ込むので平均した突起２の圧力がかけられる。
【００１１】
本発明の第３実施例では、突起２を持った球体４が、触感マウス１の中ほどに設けられており、手のひらで回転させたり、マウスの構造が無線方式であるならば、触感マウス１を持って手のひらや手の甲、または手足などいろいろな場所を球体４の突起２で刺激することができる。この突起２をもった球体４は、回転方向が自在で、ローラーとはまた違った刺激を与えることができる。
【００１２】
図５は、本発明に係わる触感マウスの第３実施例の要部断面図である。ベアリング突起５は、突起２の先端にボールベアリング６が設けられており、自在に回転できるようになっている。ボールベアリング６は、ステンレス製でステンレス製の受け皿の上で回転するようになっている。外観はボールペンの先端と同じような形状となっている。ベアリング６とステンレス製の受け皿とは、点接触しており摩擦力を減少させる構造となっている。球体４は、ベアリング突起５の作用で方向自在に回転できるようになっている。
また、台座７を取り付けた状態では、球体４を回転させても球体４が机上面と接触しないので、触感マウス１は移動しないが、台座７を取り外して、球体４を回転させるとマウスが移動して、それに応じて画面のマウスポインタが移動するようになっている。
【図面の簡単な説明】
【００１３】
【図１】本発明に係わる触感マウスの実施例を示す斜視図
【図２】本発明に係わる触感マウスの第２実施例を示す斜視図
【図３】本発明に係わる触感マウスのスプリング形式の突起２を示す断面図
【図４】本発明に係わる触感マウスの第３実施例を示す斜視図
【図５】本発明に係わる触感マウスの第３実施例の要部断面図である。
【符号の説明】
【００１４】
１    触感マウス
２    突起
２１  スプリング
３    ローラー
４    球体
５    ベアリング突起
６    ボールベアリング
７    台座  
【図１】
2011053910.tif 000003
【図２】
2011053910.tif 000004
【図３】
2011053910.tif 000005
【図４】
2011053910.tif 000006
【図５】
2011053910.tif 000007
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
スイッチ部を手操作して信号を発生し、この信号をパソコンに出力するパソコン入力装置であり、前記パソコン入力装置の底部には移動を感知する光学式装置を設けたマウスにおいて、球体の表面に複数の突起を設け、前記突起の先端には、前記球体を回転可能にするためにボールペン先端の構造と同様にボールベアリングを設け、前記球体の突起先端から直径方向反対の突起先端までの直径と同じ程度の直径を持つ凹部状の球面を前記マウスの中ほどに形成し、前記凹部状の球面の中で、前記球体が方向自在に回転できることを特徴とする触感マウス。
【請求項２】
前記マウスにおいて、前記マウスの底部の脱着可能な台座を取り外し、前記球体を回転させると回転に応じて前記球体の下部が机上面と接触して、前記マウスが移動することによって、パソコンのマウスポインタが移動することを特徴とする請求項1記載の触感マウス。